(57)【要約】  携帯型電子機器の格納（リトラクタブル）収納システムは、ワイヤレスイヤーバッド、ケーブルイヤーバッド、ヘッドフォンケーブル、または、電子タバコ、などの付属（品）機器（アクセサリーアイテム）を収納するための一つ又は複数の収納チャンバを備えた取外し可能なパネルから成り、格納（リトラクタブル）機構は、イヤフォンステーション（格納部）と、アクセサリーステーションを通して、収納されている付属（品）機器（アクセサリー）アクセサリを回収し取出すためのものである。取外し可能なパネルは、他の取外し可能なパネルと置換える事が可能であり、ワイヤレスイヤーバッドや電子タバコ等の異なった付属（品）機器（アクセサリーアイテム）を収納するための異なった構造からなる構成である。【選択図】  図１
2015520977.tif 000002
【特許請求の範囲】
【請求項１】
本発明に係る携帯電子端末用の格納型収納システム（装置）は、以下の構成からなることを特徴とする：
バックパネルと複数の横壁からなる保護ハウジングメンバからなり、操作（作動）可能な形状とサイズで携帯型機器を内包することが可能なバウンディングメンバ（収納部）が形成されており；
拡張されたコンパートメントはバックパネルに近接した構成で、ハウジングメンバの上部側壁と交差し、上部側壁にはコンパートメントに繋がる開口部が形成され；
アクセサリーステーションは、コンパートメントの内側に設けられ、携帯型機器の関連（機器）品を捕えて（外部へ）取出すための開口が形成され；
着脱可能なミドルパネルは、ハウジングメンバの内側に脱着可能に設けられ、バックパネルと並行に、拡張されたコンパートメントの下に、上端を隣接して設けられ；そして
一つまたは複数の格納チャンバは、関連（機器）品を収納するための取外可能なミドルパネルに設けられ、一つまたは複数のチャンネル（路）に繋がっており、チャンネル（路）はアクセサリーステーションへと通じている構成である。
【請求項２】
請求項１に係る携帯電子端末用の格納型収納システムは、更に以下の構成から成ることを特徴とする：
イヤーバッドとプラグヘッドを備えた少なくとも一つのイヤフォンケーブル；
ケーブルを収納部に自動的に格納するために格納チャンバの中に操作可能に設けられている少なくとも一つの格納（リトラクタブル）機構とからなり；
イヤーバッドは着脱自在に前記アクセサリーステーション内に収納され、ケーブルは巻解自在に前記格納（リトラクタブル）機構のバネ式スプール内に捲回されており、前記ケーブルのプラグヘッドは携帯型機器のイヤフォンジャックに接続されており、使用時には、前記イヤフォンはアクセサリーステーションから延長されるケーブルと共に前記格納チャンバから引き出される構成である。
【請求項３】
前記少なくとも一つの格納（リトラクタブル）機構は、摩擦ブレーキシステムからなり、ケーブル引込み時にバネ式スプールの回転速度を減少させることを特徴とする請求項２記載の携帯電子端末用の格納型収納システム（装置）。
【請求項４】
前記摩擦ブレーキシステムは、ケーブルを引き戻す際にバネ式スプールの回転スピードを減少させる、少なくとも一つの減衰パッドを備えた構成であることを特徴とする請求項３記載の携帯電子端末用の格納型収納システム（装置）。
【請求項５】
更に、ケーブルを引き戻すための、前記少なくとも一つの格納（リトラクタブル）機構を操作する格納（巻取）ボタンを備えた構成であることを特徴とする請求項２記載の携帯電子端末用の格納型収納システム（装置）。
【請求項６】
前記格納ボタンは、格納チャンバにケーブルを引戻す為に格納ボタンが第二ポジションに動かされて保持されていない限り、格納ボタンは第一ポジションに留まるか、または、第一ポジションに戻るようにバネで付勢されていることを特徴とする請求項５記載の携帯電子端末用の格納型収納システム（装置）。
【請求項７】
ケーブルのプラグヘッドを取外して携帯型機器のイヤフォンに接続するという操作を可能にした、プラグヘッド作動システムからなることを特徴とする請求項２記載の携帯電子端末用の格納型収納システム（装置）。
【請求項８】
アクセサリーステーションからイヤーバッドを取り出すためのアクセサリーボタンが設けられていることを特徴とする請求項２記載の携帯電子端末用の格納型収納システム（装置）。
【請求項９】
前記アクセサリーボタンは、アクセサリーステーションからイヤーバッドを取り出す為にアクセサリーボタンが第二ポジションに動かされて保持されていない限り、アクセサリーボタンは第一ポジションに留まるか、または、第一ポジションに戻るようにバネで付勢されていることを特徴とする請求項８記載の携帯電子端末用の格納型収納システム（装置）。
【請求項１０】
請求項２に係る携帯電子端末用の格納型収納システムは、更に以下の構成から成ることを特徴とする：
一対のイヤフォンからなり、其々が独立したケーブルに接続された二つの格納（リトラクタブル）機構からなり；
其々の格納（リトラクタブル）機構は、それぞれのケーブルを自動的に収納するため、個別の格納チャンバの中に設けられ、其々の格納（リトラクタブル）機構は、それぞれのケーブルが独立して巻き取れるように、独立して操作される構成である。
【請求項１１】
更に、それぞれの格納（リトラクタブル）機構を独立して制御するために、第一および第二格納ボタンを備えた構成であることを特徴とする請求項１０記載の携帯電子端末用の格納型収納システム（装置）。
【請求項１２】
前記の其々の格納ボタンは、格納チャンバに其々のケーブルを格納（引戻し）する為に其々の格納ボタンが第二ポジションに動かされて保持されていない限り、其々の格納ボタンは第一ポジションに留まるか、または、第一ポジションに戻るようにバネで付勢式されていることを特徴とする請求項１０記載の携帯電子端末用の格納型収納システム（装置）。
【請求項１３】
請求項１に係る携帯電子端末用の格納型収納システムは、更に、以下の構成から成ることを特徴とする：
オーディオプラグとヘッドフォンプラグとを装備し；
ヘッドフォンケーブルと、収納部にケーブルを自動的に格納する（引き込む）ために格納チャンバの中に操作可能に設けられている格納（リトラクタブル）機構とからなり；
ヘッドフォンプラグは着脱自在にアクセサリーステーションに保全される。ヘッドフォンケーブルは着脱可能に格納（リトラクタブル）機構のバネ式スプール内に巻き上げられ、オーディオプラグヘッドは携帯型端末のイヤフォンジャックに接続され、前記ヘッドフォンプラグは、使用される時はヘッドフォンと共に格納チャンバから延長されるケーブルと共にアクセサリーステーションから引き出される。
【請求項１４】
前記ヘッドフォンケーブルを巻き取る格納（リトラクタブル）機構を制御する格納ボタンを備えた構成であることを特徴とする請求項１３記載の携帯電子端末用の格納型収納システム（装置）。
【請求項１５】
独立の磁化ケーブルにそれぞれ接続された一対のイヤフォンからなり、それぞれの磁化ケーブルは、前記格納（リトラクタブル）機構の同じバネ式スプール内に着脱可能に巻くことが出来るように、一本のケーブルを形成して相互に磁気的に誘引し；そして、前記イヤフォンは、格納チャンバから伸びる一本のケーブルとしてアクセサリーステーションから引き出され、使用時には二本の分離したケーブルへと引き離すことが可能であることを特徴とする請求項２記載の携帯電子端末用の格納型収納システム（装置）。
【請求項１６】
更に、関連（機器）品を格納チャンバにあるアクセサリーステーションから取り出すアクセサリーボタンを備えた構成であることを特徴とする請求項１記載の携帯電子端末用の格納型収納システム（装置）。
【請求項１７】
少なくとも一つの関連機器または携帯型端末を充電するために格納チャンバの中に設けられた少なくとも一つのバッテリーを備えた構成であり、前記アクセサリーステーションは、充電ステーション内に収納された関連機器を充電するために電気的に少なくとも一つのバッテリーに接続された充電ステーションであることを特徴とする請求項１記載の携帯電子端末用の格納型収納システム（装置）。
【請求項１８】
前記関連機器は、ワイヤレスイヤーバッド、または、電子タバコであり；そして、更に、充電ステーションから関連機器を取り出すためのアクセサリーボタンを備えた構成であることを特徴とする請求項１記載の携帯電子端末用の格納型収納システム（装置）。
【請求項１９】
前記アクセサリーステーションは、アクセサリーステーションの開口サイズを調整するための柔軟な材質のステーションアダプターからなる構造であることを特徴とする請求項１記載の携帯電子端末用の格納型収納システム（装置）。
【請求項２０】
ハウジングメンバのバックパネルに、ロゴ、宣伝広告または審美的かつ嗜好的な模様をディスプレイする様々な色彩を施したLEDからなるものでもあり、；LEDによる模様、ロゴ、宣伝表示の制御または変更のために、携帯型の電子機器がLEDに操作可能に接続されていることを特徴とする請求項１記載の携帯電子端末用の格納型収納システム（装置）。
【発明の詳細な説明】
【技術分野】
【０００１】
本発明は、携帯型電子端末のアクセサリーシステムに関するものであり、特に、携帯型電子端末に収納し保護搬送するシステムであって、携帯型電子端末に格納型（リトラクタブル）イヤフォン、イヤフォンステーション（格納部）と収納部を提供するものである。
【背景技術】
【０００２】
携帯型電子端末は日用品として、ますます普及しており、また、日常のコミュニケーション手段として頻繁に使用されている。iPhone（商標）、iPad（商標）、iPod（商標）、Blackberry（商標）、携帯電話、携帯型ビデオプレーヤー、KINDLE（商標）、電子ブックリーダー、アンドロイド（商標）、等の機器は、今日では日常生活の本質に関わるものとなっている。この人気によって、適度なコストで消費者が望むスタイルを備えた美的に新鮮な様々な選択肢のある保護ケースに対する要望が生まれている。更に、これらの保護ケースは、意図しない破損からの保護のために、より装甲強化されてきている。
【０００３】
例えば、米国特許第７６４８０２７では、全ての内容は参照（参考）に包含されているが、背面パネルにワイヤーラップ部材の付いた携帯電話のような携帯用機器に備え付ける保護装置が開示されている。これはヘッドフォン／イヤフォン（イヤバッド）のケーブルの巻かれている状態のもつれの問題に対処するものではない。ヘッドフォン／イヤフォン（イヤバッド）のケーブルの損傷を防止するだけであり、意図せずにもつれは生じさせるものである。
【０００４】
米国特許公開公報第２０１１／０２３３０７８もまた、ここに参照として援用されており、イヤフォンの収納部（コンパートメント）を備えた携帯型機器用ホルダーのデザイン（考案）が開示されている。ヘッドフォン／イヤフォン（イヤバッド）のケーブルに過度な負荷がかからないように、バネ負荷型の巻取り機が用いられている。バネ負荷型の巻取り機では、ケーブルを巻戻す際、バネ仕掛けの機構を解放すると回転ホイールに急激な制御不可能なスピードが生ずるため、それによりケーブルを損傷したり、および/またはケーブルの寿命が短くなることがある。また、関連する例として、米国特許公報第２０１１／１７０７３２号（Ｐａｒｋｅｒ)，米国特許第６７３１９５６号 （ (Ｈａｎｎａ ｅｔ ａｌ．)，米国特許公開公報第２０１０／２７９７４３（Ｓｉｍ)があり、全ての内容は参照として援用されている。これらの各機器には、ヘッドフォン／イヤフォンのケーブルを引き込むためにバネ負荷機構を利用している。これらのバネ負荷機構は、ケーブルを引き込む／巻き戻す際に、バネ仕掛け機構を解放すると回転ホイールやスプリングリールの急激な、制御不可能なスピードを生ずるため、それによってケーブルに無理な力がかかり、ケーブルを破損したり、および／または寿命を短くしてしまうことがある。
【０００５】
そこで、請求項に係る発明は、アイテムを安全に収納し取出せる、携帯型電子機器の為の望ましい収納システムを提供する。
【発明の開示】
【０００６】
提案されているのは、様々仕様に適応できる組込み式の格納型（リトラクタブル）イヤフォン／イヤバッドシステムを装備した新たなキャリアシステムであり、様々な携帯電子機器に装備可能な装置が開示されている。
【０００７】
本発明の請求項に係る一実施例によれば、装備容易なキャリアケースは、携帯型電子機器をスライド収納するラップアラウンド側壁（巻き込み型側壁）を備え、背面パネルと開放前面開口部を有する成形プラスチックから形成されている。バックパネルは一体構造（モノリシック構造）であり、イヤーバッドステーションを内包するために、上部に拡張されたコンパートメントが設けられている。イヤーバッドステーションは、一対の引出し可能、または、取出し可能なイヤーバッド／イヤフォンを、使用されていない時に収納するための、しっかり固定されたホスティング台座を備えた構成である。ラップアラウンド側壁（巻き込み型側壁）には、電子機器の各種ボタンへの直接アクセスを可能にするために様々な開口部が設けられている。
【０００８】
本発明の請求項に係る一実施例によれば、イヤフォン／イヤーバッドを収納するための、一対の包囲領域または関連ワイヤーチャンネル（ワイヤー導通路）は、バックパネルに一体的に直接設けられている。イヤフォン／イヤーバッドの長いコードはチャンバ内（格納部内）へと巻き取られ、そして、チャンネル（路）が、プラグヘッドを携帯型機器のヘッドフォンジャックに容易にプラグインするために、プラグヘッドをイヤーバッドステーションに固定的に保持することを可能にしている。
【０００９】
本発明の請求項に係る一実施例によれば、ミドルパネル、またはカセットメンバは、イヤフォン/イヤーバッドケーブルを収納およびガイドをするために、操作可能なワイヤチャンネル（ワイヤー路）と一対のチャンバ（格納部）と同形に形成されている。
【００１０】
本発明の請求項に係る一実施例によれば、チャンバ（格納部）の１つが、携帯電話信号の二次増幅を提供する外部アンテナ／送信機ＩＣチップと共に固定して取付けされていることにより、携帯電話の限られたスペースにより制限される信号の増幅に解決策を提供する（iPhone（商標）またはiPad（商標）のように）。
【００１１】
本発明の請求項に係る一実施例によれば、携帯型電子機器の格納型（リトラクタブル）収納システムは、バックパネルと複数の横壁からなる保護ハウジングメンバからなり、操作（作動）可能な形状とサイズで携帯型機器を内包することが可能なバウンディングメンバ（収納部）が形成されている。拡張されたコンパートメントはバックパネルに近接した構成で、ハウジングメンバの上部側壁と交差する。上部側壁にはコンパートメントに繋がる開口部が形成されている。アクセサリーステーションは、コンパートメントの内側に設けられ、携帯型機器の関連（機器）品を捕えて（外部へ）取出すための開口が形成されている。着脱可能なミドルパネルは、ハウジングメンバの内側に脱着可能に設けられ、バックパネルと並行に、拡張されたコンパートメントの下に、上端を隣接して設けられる。一つまたは複数の格納チャンバは、関連（機器）品を収納するための取外可能なミドルパネルに設けられ、一つまたは複数のチャンネル（路）に繋がっており、チャンネル（路）はアクセサリーステーションへと通じている。
【００１２】
本発明の請求項に係る一実施例によれば、前記格納型（リトラクタブル）収納システムは、更に、イヤーバッドとプラグヘッドを備えた少なくとも一つのイヤフォンケーブル、と、ケーブルを収納部に自動的に格納するために格納チャンバの中に操作可能に設けられている少なくとも一つの格納（リトラクタブル）機構とからなる。イヤーバッドは着脱自在に前記アクセサリーステーション内に収納され、ケーブルは巻解自在に前記格納（リトラクタブル）機構のバネ式スプール内に捲回されており、前記ケーブルのプラグヘッドは携帯型機器のイヤフォンジャックに接続されており、使用時には、前記イヤフォンはアクセサリーステーションから延長されるケーブルと共に前記格納チャンバから引き出される。
【００１３】
本発明の請求項に係る一実施例によれば、前記格納（リトラクタブル）機構は、摩擦ブレーキシステムからなり、ケーブル引込み時にバネ式スプールの回転速度を減少させる。
【００１４】
本発明の請求項に係る一実施例によれば、前記摩擦ブレーキシステムは、ケーブルを引き戻す際にバネ式スプールの回転スピードを減少させる、少なくとも一つの減衰パッドを備えた構成である。
【００１５】
本発明の請求項に係る一実施例によれば、前記格納式（リトラクタブル）収納システムは、ケーブルを引き戻す格納（リトラクタブル）機構を操作する格納（巻取）ボタンを備えた構成である。
【００１６】
本発明の請求項に係る一実施例によれば、前記格納ボタンは、格納チャンバにケーブルを引戻す為に格納ボタンが第二ポジションに動かされて保持されていない限り、格納ボタンは第一ポジションに留まるか、または、第一ポジションに戻るようにバネで付勢されている。
【００１７】
本発明の請求項に係る一実施例によれば、前記格納式（リトラクタブル）収納システムは、ケーブルのプラグヘッドを取外して携帯型機器のイヤフォンに接続するという操作を可能にした、プラグヘッド作動システムからなる。
【００１８】
本発明の請求項に係る一実施例によれば、前記格納式（リトラクタブル）収納システムには、アクセサリーステーションからイヤーバッドを取り出すためのアクセサリーボタンが設けられている。
【００１９】
本発明の請求項に係る一実施例によれば、前記アクセサリーボタンは、アクセサリーステーションからイヤーバッドを取り出す為にアクセサリーボタンが第二ポジションに動かされて保持されていない限り、アクセサリーボタンは第一ポジションに留まるか、または、第一ポジションに戻るようにバネで付勢されている。
【００２０】
本発明の請求項に係る一実施例によれば、前記格納式（リトラクタブル）収納システムは、一対のイヤフォンからなり、其々が独立したケーブルに接続された二つの格納（リトラクタブル）機構からなる。其々の格納（リトラクタブル）機構は、それぞれのケーブルを自動的に収納するため、個別の格納チャンバの中に設けられている。其々の格納（リトラクタブル）機構は、それぞれのケーブルが独立して巻き取れるように、独立して操作される。
【００２１】
本発明の請求項に係る一実施例によれば、前記格納式（リトラクタブル）収納システムは、それぞれの格納（リトラクタブル）機構を独立して制御するために、第一および第二格納ボタンを備えた構成である。
【００２２】
本発明の請求項に係る一実施例によれば、前記の其々の格納ボタンは、格納チャンバに其々のケーブルを格納（引戻し）する為に其々の格納ボタンが第二ポジションに動かされて保持されていない限り、其々の格納ボタンは第一ポジションに留まるか、または、第一ポジションに戻るようにバネで付勢式されている。
【００２３】
本発明の請求項に係る一実施例によれば、前記格納式（リトラクタブル）収納システムは、オーディオプラグとヘッドフォンプラグとを装備したヘッドフォンケーブルと、収納部にケーブルを自動的に格納する（引き込む）ために格納チャンバの中に操作可能に設けられている格納（リトラクタブル）機構とからなる。ヘッドフォンプラグは着脱自在にアクセサリーステーションに保全される。ヘッドフォンケーブルは着脱可能に格納（リトラクタブル）機構のバネ式スプール内に巻き上げられる。オーディオプラグヘッドは携帯型端末のイヤフォンジャックに接続される。ヘッドフォンプラグは、使用される時はヘッドフォンと共に格納チャンバから延長されるケーブルと共にアクセサリーステーションから引き出される。
【００２４】
本発明の請求項に係る一実施例によれば、前記格納式（リトラクタブル）収納システムは、前記ヘッドフォンケーブルを巻き取る格納（リトラクタブル）機構を制御する格納ボタンを備えた構成である。
【００２５】
本発明の請求項に係る一実施例によれば、前記格納式（リトラクタブル）収納システムは、独立の磁化ケーブルにそれぞれ接続された一対のイヤフォンからなる。それぞれの磁化ケーブルは、前記格納（リトラクタブル）機構の同じバネ式スプール内に着脱可能に巻くことが出来るように、一本のケーブルを形成して相互に磁気的に誘引している。イヤフォンは、格納チャンバから伸びる一本のケーブルとしてアクセサリーステーションから引き出され、使用時には二本の分離したケーブルへと引き離すことが可能である。
【００２６】
本発明の請求項に係る一実施例によれば、前記関連品は、少なくとも以下の一つからなる：リップクリーム、口紅、タバコまたは葉巻。前記格納式（リトラクタブル）収納システムは、更に、関連（機器）品を格納チャンバにあるアクセサリーステーションから取り出すアクセサリーボタンを備えた構成である。
【００２７】
本発明の請求項に係る一実施例によれば、前記格納式（リトラクタブル）収納システムは、少なくとも関連機器または携帯型端末を充電するために格納チャンバの中に設けられた少なくとも一つのバッテリーを備えた構成である。アクセサリーステーションは、充電ステーション内に収納された関連機器を充電するために電気的にバッテリーに接続された充電ステーションである。
【００２８】
本発明の請求項に係る一実施例によれば、前記関連機器は、ワイヤレスイヤーバッド、または、電子タバコである。前記格納式（リトラクタブル）収納システムは、更に、充電ステーションから関連機器を取り出すためのアクセサリーボタンを備えた構成である。
【００２９】
本発明の請求項に係る一実施例によれば、前記アクセサリーステーションは、アクセサリーステーションの開口サイズを調整するための柔軟な材質のステーションアダプターからなる構造である。
【００３０】
本発明の請求項に係る一実施例によれば、前記格納式（リトラクタブル）収納システムは、ハウジングメンバのバックパネルに、ロゴ、宣伝広告または審美的かつ嗜好的な模様をディスプレイする様々な色彩を施したLEDからなるものでもある。LEDによる模様、ロゴ、宣伝表示の制御または変更のために、携帯型の電子機器がLEDに操作可能に接続されている。
【００３１】
本発明の、上記および他の観点、特徴および利点は、同様の構成要素について同じ参照符号（番号）が付され添付の図面と関連させて読まれる以下の詳述により明らかにされる。
【図面の簡単な説明】
【００３２】
【図１】は、本願発明の実施例による携帯型機器を収容する格納式（リトラクタブル）収納システムの斜視図である。
【００３３】
【図２】は、本願発明の実施例によるイヤフォン／イヤーバッドステーションのコンパートメント領域の上側の拡大部分破断図である。
【００３４】
【図３】は、本願発明の実施例によるイヤフォンケーブルを収納する、格納式（リトラクタブル）収納システムと、携帯型電子機器の組み立て拡大図である。
【００３５】
【図４】は、本願発明の実施例によるイヤフォンケーブルと、携帯型機器を収納するための脱着可能なパネルを組み立てている、図３の格納式（リトラクタブル）収納システムの拡大図である。
【００３６】
【図５】は、本発明の実施例によるイヤフォンケーブルを収納するための格納式（リトラクタブル）収納システムの分解斜視図である。
【００３７】
【図６】は、本発明の実施例による格納式（リトラクタブル）収納システムの図５の部分断面図である。
【００３８】
【図７】は、本発明の実施例による格納式（リトラクタブル）収納システムの正面図である。
【００３９】
【図８】は、本発明の実施例による格納式（リトラクタブル）収納システムの背面図である。
【００４０】
【図９】は、本発明の実施例による格納式（リトラクタブル）収納システムの右側面図である。
【００４１】
【図１０】は、本発明の実施例による格納式（リトラクタブル）収納システムの左側面図である。
【００４２】
【図１１】は、本発明の実施例による格納式（リトラクタブル）収納システムの平面図である。
【００４３】
【図１２】は、本発明の実施例による格納式（リトラクタブル）収納システムの底面図である。
【００４４】
【図１３Ａ】、
【図１３Ｂ】は、本発明の実施例による電子機器からオーディオジャック部材（３．５ｍｍタイプおよび他）を取外または再接続する操作が可能なウェッジ作動システムの実施例を示す図である。
【００４５】
【図１４】は、本発明の実施例による電子機器からオーディオジャック部材を取外または再接続する操作が可能なレバー作動システムの実施例を示す図である。
【００４６】
【図１５】は、本発明の一実施例による電子機器からオーディオジャック部材を取外または再接続する操作が可能なツイスト作動システムの実施例を示す図である。
【００４７】
【図１６】は、本発明の実施例による電池収納部を備えた格納式（リトラクタブル）収納システムの部分断面図である。
【００４８】
【図１７】は、本発明の実施例によるワイヤレスイヤーバッドを収納、充電、取出すための格納式（リトラクタブル）収納システムの斜視図である。
【００４９】
【図１８】は、本発明の実施例による様々な色彩のLEDを備えた格納式（リトラクタブル）収納システムの背面図である。
【００５０】
【図１９】は、本発明の実施例によるケーブルを収納および引出すための格納式（リトラクタブル）収納システムの分解斜視図である。
【００５１】
【図２０Ａ】、
【図２０Ｂ】は、ケーブルを引出すために、それぞれ、係合および解除する格納（リトラクタブル）機構を備えた本発明の実施例による格納式（リトラクタブル）収納システムの斜視図である。
【００５２】
【図２１Ａ】、
【図２１Ｂ】は、バネで付勢されたスプール（糸巻き）の回転スピードをコントロールするため、個別に、係合または解除する格納（リトラクタブル）機構と摩擦ブレーキシステムを備えた、本発明の実施例による格納式（リトラクタブル）収納システムの斜視図である。
【００５３】
【図２２】は、本発明の実施例によるケーブルを収納または引出すための格納（リトラクタブル）機構の分解斜視図である。
【００５４】
【図２３】は、本発明の実施例によるイヤフォンケーブルを収納または引出すための格納（リトラクタブル）機構を備えた格納式（リトラクタブル）収納システムの分解斜視図である。
【００５５】
【図２４Ａ】、
【図２４Ｂ】は、本発明の実施例による格納機構をコントロールするための格納ボタンを備え、また、アクセサリーステーションから一対のイヤーバッドを引出すアクセサリーボタンを備えたイヤフォンケーブルを収納または保管するための格納（リトラクタブル）機構の分解斜視図である。
【００５６】
【図２５Ａ】、
【図２５Ｂ】は、本発明の実施例による収納、充電、または、電子タバコを取出すための格納式（リトラクタブル）収納システムの背面図および斜視図である。
【発明を実施するための形態】
【００５７】
以下、本発明の実施形態を詳述する。可能な限り、同一または類似の参照符号（番号）は、図面または説明で使用される同一または同様の部品またはステップを指して用いられる。図面は簡略化したものであり、正確な縮尺のものではない。便利さと明瞭にするだけの目的で、方向（上／下、等）または動作（前／後、等）の用語が、図面について使われることがある。これらおよび同様な方向指示用語は、発明の範囲をどのような方法でも制限するものであると解釈すべきものではない。
【００５８】
この発明に関する開示では、イヤーバッドおよびイヤフォンの単数形または複数形は互換的に制限なく使用されており、earbud(s)およびearphone(s)のようなシステムや部品は、本発明の開示に従って作動するものと理解されるべきものである。
【００５９】
実施例を簡潔かつ明確にするために、図面は一般的な構造を例示したものであり、周知の構造または技術の記述および詳細は、本発明を不必要に不明確にしないために省略することがある。
【００６０】
請求項と説明における用語「第一」、「第二」、「第三」、「第四」または同様のものは、類似した要素を区別するために使用されることがあったとしても、必ずしも特定な連続事項または時間順を表すものではない。使用されている用語は互換可能と理解されている。また、実施例の表現または仕様は互換して使用することが可能であり、不当な制限を受けるものではない。実施例が本発明の仕様よりも多少なりとも限定的または明確であっても制限されるものではない。更に、「comprise」、「consisting of」、「include」「have」、又はどのような変化形であっても、工程、方法、物品、装置、または、構成、のような非排他的な介在物を包含することを意図しており、記載された要素は必ずしもそれらの要素である必要はなく、明確な又は特定の記載はされないが、工程、方法、物品、装置、または、構成などの他の要素を含むこともある。
【００６１】
操作的（動作的）な実施例または本発明の仕様は、どのようなサイズの携帯型機器にも適合するように容易に変更されることを考慮し、意図しているものであり、イヤーバッド／イヤフォンジャックのような音声出力または相互接続システムを提供するものである；明確にするために、IPOD（商標）またはIPHONE（商標）を基にした実施例が示されているが、携帯電話、スマートフォン、コンピューター、ノートパソコン、タブレット、電子ブックリーダー、その他、制限なく、いかなる携帯型機器にも適応し得るものである。ケースの形状は金属、ゴム、プラスチック、または、いかなる他の形成可能な素材、または、弾力性のある可変モジュールからなる素材の組合せとすることが可能である。従って、硬質プラスチックの底部と、滑らかな良く滑る側面ガイドチャンネル（路）部分は、より弾力性のある側壁と共形成（合同形成）することができる。様々な色彩や素材の模様をスタイルと流行のために採用することができる。
【００６２】
図１および図２を参照すると、携帯型電子端末システム１１０は、例として、IPOD（商標）／IPHONE（商標）がキャリアケース１００のハウジング１１１内部に収容されている。本発明の実施例によれば、ハウジング１１１は薄い層からなるプラスチック、皮革素材、ゴム、または、他の形成可能な柔軟な耐久性のある軽量な素材で形成され、機器１１０を傷やその他のダメージからの保護を提供している。ハウジング１１１は、様々なデザインの携帯型機器にピッタリ嵌合するように、様々な形状またはサイズに形成され、図に示された形状に限定されるものではない。例として、IPHONE（商標）に適合するように、十分な厚さを備えた長方形に形成することが可能であり、また、KINDLE（商標）電子ブックリーダーに適合するように正方形に形成することも可能である。需要者の流行感覚や個人的な装飾のために、個人用または特別注文による模様や色彩を提供することも可能である。ケース１００の側壁または上壁に設けられた、様々な開口１０３は、電子機器１１０の電源ボタン、ボリュームボタン、コントロールボタン、または、USBポートのようなポートなど、様々なボタンにアクセスするため、適合するように形成することが可能である。
【００６３】
本発明の一実施例によれば、キャリアケース１００にはフロント（前）パネルがなく、機器１１０の前面スクリーンを全面的に直接アクセスすることを可能にしている。特に、タッチスクリーンの機器では、この前面の開口が機能的に便利であり、更にエレガントなスタイルでもある。ハウジング１１１の側壁の角は、保持するヘリ（縁）となる部分が僅かに湾曲しており、機器１１０を保持する力を向上させている。また、ハウジング１１１の側壁は、機器１１０の保持力を増大させるために、ゴム引きの表面となっている。
【００６４】
本発明の一実施例によれば、ケース１００の最上部４００はイヤフォンジャック１１２のエリアを覆っており、イヤフォン／イヤーバッドステーション１１５を嵌め込むための僅かに拡大されたコンパートメントまたは包囲領域１２５から構成されている（図３、図４）。本発明の一態様によれば、イヤフォンまたはイヤーバッドステーション１１５は、一つ、または、二つの円筒状の開口から成り、一対のイヤフォン１１７、１１９（例えば、ワイヤレスイヤフォン、又は、イヤーバッド）を摩擦力により保持するためのサイズとなっているが、ケース１００（独立していない）と一体（単一）形成することが可能であり、また連続させることもまた可能である（非独立開口）。一方、イヤフォンステーション１０７、１０９は、一対のイヤーバッドまたはイヤフォン１１７、１１９を受け入れる開口を備えた構成とすることが可能である。イヤーバッドステーション１１５の素材は、プラスチック、または、エストラマー（弾性素材）、または弾性素材との組合せ素材から構成することが可能である。アダプターリングは（図示されているが参照番号なし）、ステーション１１５に特定のイヤーバッドを完璧にフィットさせるために、一般的な開口を調整してサイズを小さめにしたものが用いられている。イヤーバッド接続ケーブル１２１、１２３は、キャリアケースハウジング１１１の内部に収納され、イヤフォンステーション１１５の開口を介して使用の際には巻取または繰出される。
【００６５】
図３、図４を参照すると、キャリアケース１００は、イヤフォン／イヤーバッドケーブル１２１、１２３を収納するための、一つ、二つ、または、複数のチャンバ１２７、１２９と共に構成されるミドルカセットまたはプラグインパネル３００を含む構成である。本発明に係る一実施例では、スプリングリールまたはスプール（捲回）６１０のような格納（リトラクタブル）機構１２７Ａ、１２９Ａは、使用後にイヤフォンケーブル１２１、１２３を自動的に巻き取るために、チャンバ１２７、１２９の中に脱着自在に内装することが可能である。格納（引戻し）機構は、個別に指示することが可能であり（格納巻取り、部分的格納巻取り、ある位置での保持、等）、また、それぞれの格納引戻し機構は、個別に（片方のイヤーバッドもしくは両方を）操作することが可能である。追加された外装アンテナ受信機／発信機チップ（図示なし）は、チャンバの内部に固定して設けられ、または、携帯電話の電波受信／送信の容量を増幅させるために外枠（外郭）や本体に近接して設けられる。一方、一対のイヤフォン１１７、１１９は、一本のイヤフォンケーブルに接続することが可能であり、それにより必要となるのは、使用後にイヤフォンケーブルを自動的に格納巻取のための単一のイヤフォン／イヤーバッドケーブル１２１を収納するための単一のチャンバ１２７と、単一の格納（リトラクタブル）機構１２７Ａのみとなる。
【００６６】
イヤフォン／イヤーバッドケーブル１２１、１２３は、それぞれのチャンバ１２７、１２９へとチャンネル（路）によってガイドされ、ケーブルの残りの部分はチャンバ１２７、１２９の中に巻かれている。イヤフォン／イヤーバッドのプラグヘッド１０５は、チャンネル（路）の一つにより、イヤフォンジャックに近接するように携帯型機器１００の最上点へとガイドされる。イヤフォン／イヤーバッド、イヤープラグ、または、イヤーピース１１７、１１９は、イヤフォンステーション１１５に収容されるか嵌め込まれており、使用時には、任意に一つまたは両方をイヤフォンステーション１１５から引き出すことが可能であり、また、使用後には、連続的な引っ張りや、電気電源コード巻取りの分野で公知のラチェットを使用することにより、イヤフォンステーション１１５に格納巻戻しが可能である。
【００６７】
本発明に係る一実施例では、パネル３００は、外装ハウジング１１１の中に容易に組み付け可能なように構成されており、摩擦力による保持、または、ハウジング１１１内に形成された小さな突起により保持されており、任意の位置に音響的に固定（接合）され、または、その他の方法で固定される。同様に、イヤーバッドステーション２０１は、脱着可能または固定手段により組み付けることが可能である。図２３に例示されているように、キャリアケース２００は、イヤーバッドステーション２０１または充電ステーション５１０の開口を開閉するために、蝶番付カバー２０３で覆われている構成である。
【００６８】
当業者には理解できるが、１１１のアウターハウジングの厚さは、電子機器の商標部分を見せるように開口部または透明な部分を設けて形成してもよい。同様に、そのような開口または部分は、定型化した構造として、格納巻取機構１２７Ａ、１２９Ａを接受する部分として提供されても良い。本発明に係る一実施例では、図１８に示したように、キャリアケース２００は、ロゴ、広告、審美的な模様を表示するために、複数の色からなるLED５５０がケースの裏面に設けられている。好ましくは、ＬＥＤ５５０は、電子機器に有線または無線で接続されており、電子機器がＬＥＤ５５０のロゴや広告の表示を調整したり変更したりすることが可能である。
【００６９】
ハウジング１１１のバックパネルは、イヤフォン／イヤーバッドステーション１１５を搭載するために、僅かに拡張された包囲領域またはコンパートメント１２５を備えた構成である。本発明に係る一実施例では、図５で示されているように、イヤーバッド／イヤフォンステーション２０１は、イヤープラグヘッドに適合する形状に、また、脱着可能に設置し、定位置に固定できるように、細長管状構造の二つまたは複数の開口２０３、２０５から構成されている。本発明に係る一実施例では、ステーションホルダー２０１はバックケース１００、２００の裏面内部に一体構造で接合することが可能である。イヤーバッドステーション２０１の開口は、多くのイヤープラグヘッドより僅かに大きく構成されたゴムのような弾力のある素材であり、柔軟性およびタイトな締付のため、Ｏリングまたは他の適合形状にフィットすることを可能にしている。パネル３００は、特定の電子機器に適合する他のタイプの構造に変更することも可能である。パネル３００は、いかなるカメラ／ビデオ、電子機器、開口、商標表示でも使用できるように、開口またはそのような領域を設けることが可能である。
【００７０】
本発明に係る一実施例では、チャンバ構造とチャネル（路）は、ミドルカセットまたはプラグインパネル３００またはハウジング２１１のバックパネルに直接的に一体成形することができる。図５および図６を参照すると、携帯型機器キャリアケース２００は、イヤーバッドケーブル、ワイヤレスヘッドバッド、ヘッドフォンケーブル、電子タバコ、葉巻、タバコ、口紅、リップクリーム等の、一つまたは複数の付属（品）機器（アクセサリグッズ）を取り出し可能に収納するため、ハウジング２１１、または、一つまたは複数の収納チャンバ６０５からなる。本発明に係る一実施例では、チャンバ６０５に、一つ又は複数の格納（リトラクタブル）機構６００を設けることが出来る。一つ又は複数のガイドチャンネル（路）２１３、２１５、２１６を備えるチャンバ構造６０５は、ハウジング２１１のバックパネルの内側、または、プラグインパネル３００上に設けることができる。イヤフォンステーション２０１は、チャンネル（路）２１３、２１５の最上部に設けられる。チャンネル（路）２１６は、イヤフォンプラグヘッド２２５が携帯型機器１１０のイヤフォンジャックに差し込めるように保持する構成となっている。チャンネル（路）２１３、２１５は、イヤフォンケーブル２２９、２３１を、使用時には引き出され、収納時にはそれぞれの格納巻取機構６００内に巻き取られるように、ガイドする。
【００７１】
本発明に係る一実施例では、使用後に自動的に独立にケーブル２２９、２３１を格納巻取りするために、バネボックスが、それぞれの格納（リトラクタブル）機構６００の内部に設けられている。図１９で例示するように、格納（リトラクタブル）機構６００は、ケーブルを収納するためのスプール６１０と、携帯型電子機器１１０へ接続するオーディオジャック部材またはイヤフォンプラグ２２５へとケーブル２３１，２２９を電気的に接続するためのモータースプリング（駆動ばね）６２０と、スプール接触板６３０とから成る。ケーブル２２９、２３１を格納（巻取）するために、格納（リトラクタブル）機構６００は、モータースプリング６２０を解放し、スプール６１０を回転し、巻き付けることによりケーブルをスプールへと格納（巻取）する。使用者により、ケーブル２２９、２３１の一つ又は両方はバネ式スプール６１０から捲き取られない（解放される）が、ケーブルは使用後に格納（リトラクタブル）機構６００によりバネ式スプール６１０に巻き取られる。一方、図２２、２３に示されるように、格納（リトラクタブル）機構６００は、ハウジング２１１のバックパネルに隣接するワッシャ６２５から構成され、モータースプリング６２０、スプール６１０、スプール接触ディスク６３０は、スプール６１０および、望ましくはプラグインパネル３００に固定されているプリント基板（ＰＣＢ）である接点フィルム６３５の上に、ファスト（fasted）されるか、または、接続されている。スプール接点ディスク６３０の接点が、回転するスプール６１０上のケーブル２３１、２２９と接点フィルム６３５との電気的な接続を可能にしている。接点フィルムはプラグヘッド２２５と電気的に接続している。
【００７２】
本発明に係る一実施例では、図２０、２１に例示されているように、ケーブル２２９、２３１の自動巻取では、それぞれのケーブル２２９、２３１を穏やかに引くことにより、または、それぞれ格納巻取の操作か、またはスプールボタン６５０により、動作を引き起こさせることができる。格納（スプール）ボタン６５０は、ＯＮ／ＯＦＦの押しボタン、または、第一ポジションから第二ポジションへと移動するスライド式格納ボタンとすることができる。各格納（リトラクタブル）機構６００はそれぞれの格納ボタン６５０によって個別に作動および制御される。図２０Ａに例示されているように、スライド可能な格納ボタン６５０は、格納（リトラクタブル）機構６００に格納動作をさせるために、第二ポジションに移動させられる（またはケースの上端に向けて移動させる）。
図２０Ｂに例示されているように、スライド式格納ボタン６５０は、格納（リトラクタブル）機構６００のスプール６１０内にケーブルが巻き取られるのを阻止するために、第一ポジションに移動（またはケースの底端に向けて移動）させられるが、使用者には更にケーブルを引出すことが許容されている。
【００７３】
本発明に係る一実施例では、図２１Ａ、２１Ｂに例示されているように、スライド式引出ボタン６５０は、ケーブル２２９、２３１を巻き取るために格納ボタン６５０が第二ポジションへと移動させられるまでは第一ポジションに留まり、格納ボタン６５０を放すと自動的に第一ポジションに戻るようにバネで付勢されている。すなわち、格納ボタン６５０は、ケーブル２２９、２３１を巻き取るときは第二ポジションに留まるが、そうでなければ格納ボタン６５０は第一ポジションに戻る構成である。使用者が第二ポジションに格納ボタン６５０を移動させるか、または、ボタンをケースの上端に向けてスライドさせて“巻取り”位置にして格納ボタン６５０を保持することにより、それぞれのケーブル２２９，２３１は其々のスプールまたはリール６１０に巻き取られ、そして、格納ボタン６５０を放すと、格納（リトラクタブル）機構６００は停止または解除状態となる。すなわち、二本のケーブル２２９、２３１は、個別に引っ張られて、それぞれのスプール６１０から異なった長さに引き出される、例えば、１フィートのケーブル２３１が引き出され、また、２フィートのケーブル２２９が引き出される。更に、例えば、ケーブル２３１は、ケーブル２２９から独立して巻き取ることが可能であり、ケーブル２３１に接続されているイヤーバッド２２１は、完全にイヤフォン／イヤーバッドステーション２０１の中に巻きとられる、一方、ケーブル２２９に接続されているイヤーバッド２２３は、イヤフォン／イヤーバッドステーション２０１の外部に留まったままとなる。
【００７４】
本発明に係る一実施例では、イヤーバッド２２１と２２３は、同一のケーブルに接続することが可能であり、したがって、図２０Ａ―Ｂと２４Ａ−Ｂで例示したように、単一の格納引戻機構６００のみが必要となる。不使用時にイヤーバッドステーション２０１内にドケット（集荷）または収納されているイヤーバッド２２１、２２３は、回収もしくは、イヤーバッドステーション２０１から引出しておくこともできる。本発明に係る一実施例では、キャリアケース２００は、図２４Ａ―Ｂに例示するように、イヤーバッドステーション２０１からイヤーバッド２２１、２２３を引き出すためのアクセサリーボタン６５５を備えている。アクセサリーボタン６５５は、イヤーバッド２２１、２２３を引出すためにイヤーバッドステーション２０１の方へ向けて動かされ、また、イヤーバッドステーション２０１の中にイヤーバッド２２１、２２３をスライドさせて引き込むためにイヤーバッドステーション２０１から離れる方向へ動かされる。一方、アクセサリーボタン６５５は、格納ボタン６５０と同様に、バネ付勢式とすることができ、アクセサリーボタン６５５が、イヤーバッドステーション２０１からイヤーバッド２２１、２２３を取出す又は引き出すために第二ポジションに移動させられ保持されていない限り（図２４Ｂに例示）、アクセサリーボタン６５５は、第一ポジションに留まるか又は戻る（図２４Ａに例示）ようにすることが出来る。
【００７５】
本発明に係る一実施例では、図２１Ａ、図２１Ｂに例示されているように、それぞれの格納（リトラクタブル）機構６００は、ケーブル２２９、２３１が格納（リトラクタブル）機構６００内に引き込まれていく時のスプリングリールまたはスプール６１０の回転速度を制御減少させる、摩擦によるブレーキシステム６４０が備えられた構成である。バネ付勢式格納（リトラクタブル）機構６００のモータースプリング６２０は、ケーブルを巻き取るためにバネ付勢機構６００を解放すると、スプリングリールまたはスプール６１０が急激に回転して、制御不可能なスピードとなり、それにより、ケーブル２２９、２３１が引っ張られたり破損する可能性がある。本発明の一態様によれば、摩擦によるブレーキシステム６４０は、スプリングリールまたはスプール６１０を減速させるための、一つまたは複数の減衰パッド６６０を備えた構成である。例えば、バネ付勢格納（リトラクタブル）機構６００は、巻取モードにおいて（格納ボタン６５０は、図２１Ｂで例示するように第二ポジションまたは巻取ポジションとなる）、減衰パッド６６０に圧力がかけられてスプール６１０に接合し、その回転スピードを減速させる。
【００７６】
本発明に係る一実施例では、図２６Ａ―Ｂに示すように、収納チャンバ５０１、６０５および格納（引戻）機構６００は、標準的ヘッドフォン（図示なし）と共に使用されるヘッドフォンプラグ／ケーブルを、格納し収納する。格納（リトラクタブル）機構６００は、好ましくは、摩擦によるブレーキシステム６４０により構成され、使用後のヘッドフォンプラグ／ケーブルを自動的に格納（巻取）する。イヤーバッドケーブル２２９、２３１と同様に、ヘッドフォンプラグ／ケーブルの自動格納（巻取）は、ケーブルを穏やかに引くことにより、または、格納（巻取）ボタン６５０を操作することにより、作動させることが可能である。不使用時にイヤーバッドステーション２０１にドッキング集荷または収納されているヘッドフォンプラグは、イヤーバッドステーション２０１から引出すまたは取り出すことが可能である。イヤーバド２２１、２２３と同様に、ステーション２０１は、ヘッドフォンプラグ５５０を収納するように構成されており、図２６Ａ―Ｂで示すように、アクセサリーボタン６５５によりヘッドフォンプラグをステーション２０１から出し入れする。アクセサリーボタン６５５は、ヘッドフォンプラグを引き出すためにステーション２０１に向かって動かされ、また、ステーション２０１の中にヘッドフォンプラグを滑り込ませるためにステーション２０１から離れる方向に動かす。一方、アクセサリーボタン６５５は、ステーション２０１からヘッドフォンプラグを取出す又は引き出すためにアクセサリーボタン６５５を第二ポジションに移動するまで、アクセサリーボタン６５５を第一ポジションか“静止”位置に、留まるか又は戻るように、バネ付勢式とすることができる。ヘッドフォンプラグは、ヘッドフォンまたはヘッドセット（図示無し）の抜かれていたヘッドフォンプラグをオーディオポートに挿入することによりヘッドフォンと共に使用することが可能である。
【００７７】
本発明に係る一実施例では、ケーブル２３１、２２９は、二本のケーブルが一本のケーブルとして機能するように磁気化させることが可能である。第一ケーブル２３１をコーティングする溶解ゴム／プラスチックに磁性化合物粉末を添加することが可能であり、また、第二ケーブル２９９をコーティングする溶解ゴム／プラスチックに鉄系金属材料の粉末を添加することも可能である。ひとたび硬化または鋳造されたら、これらの二本の分離可能なケーブル２３１、２９９は、相互に磁気的に引かれて一本のケーブルを形成するが、使用者が二本のケーブルへと引き剥がすことを可能としている。本発明の用途に応じて、磁化ケーブル２３１、２９９は、二つの格納（リトラクタブル）機構６００、または、一つの格納（リトラクタブル）機構６００により操作することが可能である。本発明に係る一実施例では、二本の磁化ケーブル２３１、２９９は、二つの格納（リトラクタブル）機構６００に、それぞれ独立して格納（巻取）されている。チャンネ（路）２１３、２１５が、二本の磁化ケーブル２３１、２９９の引き出される時にガイドして分離させ、そして、二つの格納（リトラクタブル）機構６００に、それぞれ別に格納（巻取）される。二本の磁化ケーブル２３１、２９９に装着されている二つのイヤーバッド２２１、２２３がイヤフォンステーション２０１から引出される時、二本の磁化ケーブル２３１、２９９は、一本のケーブルを形成するように磁気的に相互に接合しており、また、使用者が二本の磁化ケーブル２３１、２９９の領域を引き剥がして独立したイヤーバッド２２１、２２３とすることが可能である。
【００７８】
本発明に係る一実施例では、二本の磁化ケーブル２３１、２９９は、磁気的に引かれて一本のケーブルを形成し、同一の格納（リトラクタブル）機構の中へ格納（巻取）される。すなわち、両方の磁化ケーブル２３１、２９９が同一の格納（リトラクタブル）機構６００から引出され、または、格納（巻取）される際に、チャンネル（路）２１３、２１５の内の一つがガイドすることになる。二本の磁化ケーブル２３１、２９９と装着している二つのイヤーバッド２３１、２９９が引き出されるとき、使用者は二本の磁気的に接合しているケーブル２３１、２９９を引き剥がして、所望の長さの二本の分離したケーブル２３１、２９９とすることが可能である。
【００７９】
本発明に係る一実施例では、図１６、図１７に示すように、キャリアケース２００のバックパネル、または、プラグインパネル３００の一つの側面には、格納（リトラクタブル）機構６００の代わりに、一つ又は複数の電池５００を収容するための、一つ又は複数の格納チャンバ５０１が設けられている。格納チャンバ５０１は、図１６では円形に表されているが、格納チャンバ５０１は、正方形や長方形の電池５００のような異なった形状の電池５００を収納することが可能な形状とすることが望ましい。電池５００は、充電ステーション５１０に収納するのであれば、電子機器の電池寿命を延長することができ、および／または、ワイヤレスイヤーバッド５２０を充電することができるBluetooth（登録商標）イヤーバッド５２０であることが望ましい。ワイヤレスイヤーバッド５２０は、充電ステーション５１０からカチッと出し入れ（クリックイン・クリックアウト）される。ワイヤレスイヤーバッド５２０は、Bluetooth（登録商標）のように、電子機器１１０と無線コミュニケーション（交信）できる。望ましくは、アクセサリーボタン６５５は、充電ステーション５１０からワイヤレスイヤーバッド５２０を取出す又は押出すために使用されるが、図２４Ａ―Ｂではワイヤ付きイヤーバッド２２１、２２３が示されている。電池チャンバ５０１は、充電ステーション５１０および電子機器と電気的に接続されている。本発明の一態様によれば、ガイド（路）２１３、２１５はイヤーバッドステーション５１０と接続するワイヤを収納しており、また、ガイド２１６はバッテリー５００を電子機器へと接続するワイヤを収納することに使用することが可能である。このように、本発明に係るシステムは、ワイヤレスBluetooth（登録商標）イヤフォンとスマートフォンの保護、収納、電池管理を提供するものである。二つの収納チャンバ５０１と二つの電池５００が図１６に示されているが、キャリアケース２００は、一つの電池５００を収納するための一つの収納チャンバ５０１からなる構成とすることが望ましい。
【００８０】
本発明に係る一実施例では、図２５Ａ―Ｂで示すように、キャリアケース２００のバックパネルまたはプラグインパネル３００の一つの側面は、口紅、リップクリーム、タバコ、葉巻、または電子タバコ（またはｅ−シガレット）のような、一つ又は複数の付属（品）機器（アクセサリ）５３０を収納、するためのチャンバおよび／またはチャンネルと、直接的にかつ一体的に形成されることが可能である。取出しボタン６５５は、格納チャンバ５０１からの付属品（アクセサリ）の回収、押出しまたは取出しのために使用する。格納チャンバ５０１は、図１６では円形に描かれているが、電子タバコ、葉巻、タバコ、リップクリーム等を収納するためのチューブ状の収納チャンバのように、異なった形状の付属品（アクセサリ）を収納するため、図２５Ａ、２５Ｂで例示した、いかなる形状にでも形成することが可能である。ワイヤレスイヤーバッド５２０と同様に、充電ステーション５１０は格納チャンバ５０１に収納されている状態で内部電池５００を使用して電子タバコ５３０を充電し、図２５Ｂに例示するように、格納ボタン６５０により収納チャンバ５０１から取り出すことが可能である。
【００８１】
本発明に係る一実施例では、外装のアンテナ送信／受信機は、携帯電話（セルラー）や携帯電話（セルフォン）のWI-FI受信装置のように、携帯型電子機器の受信信号を増幅させるために、チャンバ機構６０５の内部に固定装着される。
【００８２】
本発明に係る一実施例では、図１８に示すように、キャリアケース２００は、ケースの背面に、ロゴ、広告または美的な模様を表示するための、複数の色彩からなるＬＥＤライト５５０が装備されている。ＬＥＤ５５０は、電子機器に有線または無線で接続されており、電子機器により表示されるＬＥＤ５５０の模様、ロゴや広告を調整したり変更したりできることが望ましい。
【００８３】
他の外観的特徴としては、図７〜図１２に表わされているように、携帯型機器に適合させるように、側面に機器のボタンをアクセスするために十分な開口が設けられる構造となる。これらの図は例示を目的としているものであって、限定されるものではない。図１３からも判るように、これらの仕様では、上部の縁口部は、特定のオーディオジャック（３．５ｍｍタイプ）を受容するために少し大きめになっているが、ジャックアクセスは底部とすべきであり、ケースの拡張部分は、電子機器が装着および離脱に適合するように、任意に配置されるべきであろう。図７〜図１２では、携帯電話またはスマートフォンに使用するキャリアケースが示されているが、本発明に係るキャリアケースは、タブレット、電子ブックリーダー、ＭＰ３機器、のようないかなる携帯電子機器または、テレビ、ブルーレイプレーヤ、ビデオストリーミングプレーヤのような電子機器を操作・調整する遠隔操作機器などに対応することができることが望ましい。
【００８４】
図１３〜図１５は、本発明の作動システム３０１、３０２、３０３の図による例示が提示されている。図１３Ａ―Ｂに示した作動システム３０１では、ウェッジ（楔）部材３１０を使って、プラグボタン３１５をジャック部材２２５に向けて（図１３Ａに示すように）移動またはスライドさせて、ウェッジ（楔）３１０を（ジャックの）下に押込んで、携帯型電子機器１１０のレシービングホール１１２からジャック部材２２５を押上げて脱抜することにより、オーディオジャック部材またはイヤフォンプラグ（例えば１０５または２２５）を、脱抜または差込させることが出来る。その後、プラグボタン３１５は、ジャック部材２２５から除去され（図１３Ｂに例示）、ジャック部材２２５は、下方へレシービングホールに向けて差込められ、使用したい時にジャックが再挿入される。このように、使用者は容易に（かつ片手で）ジャック部材２２５の脱抜と差込を行うことができ、そのため、イヤーバッド機構を起動させ、また、停止させることが可能となった。
【００８５】
図１４に示されているように、レバー部材３１４は、ケースの開口部を貫通した突出部３１５と、固定部３１６からなり、レバー部材３１４をピボットレバーとして操作することを可能にしている。レバー部材３１４は、ジャック部材またはイヤフォンプラグ１０５、２２５を受け止めて差込軸に対する動作をコントロールするように構成されており、電子機器のレシービングホール１１２のＡ方向にイヤフォンプラグ１０５、２２５を押上げ又は脱離し、電子機器のレシービングホール１１２のＢ方向にイヤフォンプラグ１０５、２２５を差込むように形成されている。
【００８６】
図１５に示すように、ピボット部材３２０は、電子機器のジャック部材またはイヤフォンプラグ１０５、２２５、を操作可能に固定し、ケース１００、２００内で保留して旋回可能としている。ピボット部材３２０は、イヤフォンプラグ１０５、２２５を電子機器のレシービングホール１１２から離脱するための旋回動作Ａの作動をすることが可能であり、また、イヤフォンプラグ１０５、２２５を電子機器のレシービングホール１１２を差込むための旋回動作Ｂの作動をすることが可能である。この旋回運動は、この発明の精神と範囲から逸脱することなく、ネジ式（両旋回、上昇／下降）、または、ピボット・ウェッジ機構（押圧回転で上昇するpivot-driving-a-wedge）とすることが出来る。当業者には理解されるであろうが、各々のこれらの代替的および作動的な機構または手段は、insertion-removal（挿入離脱）手段であり、ここで開示した代替的な例に限定されるものではなく、同様の機能を実現できるすべての関連する変更技術を含むものである。
【００８７】
特許請求の範囲において、手段またはステップ（手段）プラス機能（ファンクション）記載は、構造上の均等物や同等の構造だけではなく、本明細書に記載または示唆された特定の機能を実現するような構造を網羅することを意図している。したがって、例えば、木製部品を係止するという設定の下で、釘が木材部と円形表面との間の摩擦によるものという点と、、ネジの螺旋状の表面が木材部に積極的に係合する点と、、ボルトの頭とナットが木材部を両側から圧縮する点とでは、釘、ネジ、ボルトは、構造上の均等物ではないかもしれないが、ネジとボルトは、均等的な構造であると当業者によって既に理解されるものである。
【００８８】
添付図面を参照して本発明の実施形態の少なくとも一つを説明したが、本発明がこれら明確な実施例に限定されるものではないことは当業者には明白であり、本発明が開示した機構は、本発明の精神と範囲から逸脱することなく、様々な変更および変形を施すことが可能である。したがって、本発明の開示事項は添付の請求項および均等物に入る開示内容の修正および変更を包含することを意図するものである。
【図１】
2015520977.tif 000003
【図２】
2015520977.tif 000004
【図３】
2015520977.tif 000005
【図４】
2015520977.tif 000006
【図５】
2015520977.tif 000007
【図６】
2015520977.tif 000008
【図７】
2015520977.tif 000009
【図８】
2015520977.tif 000010
【図９】
2015520977.tif 000011
【図１０】
2015520977.tif 000012
【図１１】
2015520977.tif 000013
【図１２】
2015520977.tif 000014
【図１３Ａ】
2015520977.tif 000015
【図１３Ｂ】
2015520977.tif 000016
【図１４】
2015520977.tif 000017
【図１５】
2015520977.tif 000018
【図１６】
2015520977.tif 000019
【図１７】
2015520977.tif 000020
【図１８】
2015520977.tif 000021
【図１９】
2015520977.tif 000022
【図２０Ａ】
2015520977.tif 000023
【図２０Ｂ】
2015520977.tif 000024
【図２１Ａ】
2015520977.tif 000025
【図２１Ｂ】
2015520977.tif 000026
【図２２】
2015520977.tif 000027
【図２３】
2015520977.tif 000028
【図２４Ａ】
2015520977.tif 000029
【図２４Ｂ】
2015520977.tif 000030
【図２５Ａ】
2015520977.tif 000031
【図２５Ｂ】
2015520977.tif 000032
【国際調査報告】
2015520977.tif 000033
2015520977.tif 000034